(57)【特許請求の範囲】
【請求項１】
入来する番組に係る番組関連情報を取得する番組関連情報取得手段と、
過去の視聴あるいは録画の際に前記番組関連情報取得手段が取得した前記番組関連情報に含まれる番組の分類を示す分類情報のうち少なくとも一部が蓄積情報として保持されるメモリと、
前記メモリに保持された前記蓄積情報と、入来する番組に係る番組関連情報とを比較することにより、入来する番組の中から前記蓄積情報に含まれる分類に該当する番組のみを選択して記録媒体上に記録する選択記録手段と、
前記選択記録手段が記録した番組の中から所望の番組を再生する再生手段と、
前記再生手段による前記記録番組の再生状況に応じ、前記再生手段が再生した番組数を番組記録時の前記分類毎に集計し、前記各分類において前記各分類の番組全数に対する再生番組数の割合が所定の割合以下である否かを決定する決定手段と、
前記決定手段の決定結果に応じて、前記各分類において前記各分類の番組全数に対する再生番組数の割合が所定の割合以下である分類に関しては、当該分類を削除すると共に、当該分類に基づき選択記録された番組を前記記録媒体上から消去あるいは上書きする削除手段と
備えたことを特徴とする番組信号記録再生装置。
【請求項２】
前記記録媒体は、限られた記録容量を有する取り出し不可能な記録媒体であることを特徴とする請求項１記載の番組信号記録再生装置。
【請求項３】
入来する番組に係る番組関連情報を取得するステップと、
過去の視聴あるいは録画の際に前記取得された前記番組関連情報に含まれる番組の分類を示す分類情報のうち少なくとも一部を保持するステップと、
前記保持された前記蓄積情報と、入来する番組に係る番組関連情報とを比較することにより、入来する番組の中から前記蓄積情報に含まれる分類に該当する番組のみを選択して記録媒体上に記録するステップと、
前記記録番組の再生状況に応じ、再生番組数を番組記録時の前記分類毎に集計し、前記各分類において前記各分類の番組全数に対する前記再生番組数の割合が所定の割合以下である否かを決定するステップと、
前記決定結果に応じて、前記各分類において前記各分類の番組全数に対する再生番組数の割合が所定の割合以下である分類に関しては、当該分類を削除すると共に、当該分類に基づき選択記録された番組を前記記録媒体上から消去あるいは上書きするステップと
備えたことを特徴とする番組信号記録再生方法。
【請求項４】
前記記録媒体は、限られた記録容量を有する取り出し不可能な記録媒体であることを特徴とする請求項３記載の番組信号記録再生方法。
【発明の詳細な説明】
【０００１】
【発明の属する技術分野】
本発明は、番組信号と共に伝送される番組関連情報に基づき番組を選択的に録画し、これを再生する番組信号記録再生装置及び番組信号記録再生方法に関する。
【０００２】
【従来の技術】
テレビジョン放送のディジタル化に伴い、番組信号と共に番組の内容あるいはスケジュール等を示す番組関連情報が送信されるようになり、この番組関連情報を利用した番組信号の記録再生装置が開発され、製品化されつつある。
【０００３】
そして、このような記録再生装置では、使用者が過去に録画をした番組の番組関連情報に基づき、使用者の興味のある番組のジャンル・テーマ、出演者等の情報を判別してこれを装置内部に蓄積しておき、この蓄積情報とこれから放送される番組の番組関連情報とを比較することにより、使用者の興味のある番組のみを自動的に選択して録画するという録画方法が検討されている。
【０００４】
【発明が解決しようとする課題】
ところが、以上の如く自動選択録画方法では、使用者が興味のある番組のジャンル・テーマ、出演者等の情報をわざわざ記録装置に設定する必要がないという利点があるものの、一旦蓄積情報として登録されてしまうと、使用者の好みとは異なる番組であっても録画され続け、結果として不必要な番組が録画されてしまうという課題があった。
【０００５】
つまり、過去の録画履歴に基づき使用者の興味のある番組のジャンル・テーマ、出演者等の情報を判別するため、蓄積情報と使用者の好みとが一致しないことがあり、録画された番組の全てが使用者にとって興味のある番組でないことが多かった。
【０００６】
また、記録容量が限られている記録媒体上に番組信号を記録する場合には、このような無駄な番組を録画することにより、使用者が本来録画したい番組が録画できなくなってしまう可能性もあり、限られた記録容量を有効に利用できないという問題があった。
【０００７】
【課題を解決するための手段】
上記課題を解決するため、本発明の番組信号記録再生装置は、入来する番組に係る番組関連情報を取得する番組関連情報取得手段と、過去の視聴あるいは録画の際に前記番組関連情報取得手段が取得した前記番組関連情報に含まれる番組の分類を示す分類情報のうち少なくとも一部が蓄積情報として保持されるメモリと、前記メモリに保持された前記蓄積情報と、入来する番組に係る番組関連情報とを比較することにより、入来する番組の中から前記蓄積情報に含まれる分類に該当する番組のみを選択して記録媒体上に記録する選択記録手段と、前記選択記録手段が記録した番組の中から所望の番組を再生する再生手段と、前記再生手段による前記記録番組の再生状況に応じ、前記再生手段が再生した番組数を番組記録時の前記分類毎に集計し、前記各分類において前記各分類の番組全数に対する再生番組数の割合が所定の割合以下である否かを決定する決定手段と、前記決定手段の決定結果に応じて、前記各分類において前記各分類の番組全数に対する再生番組数の割合が所定の割合以下である分類に関しては、当該分類を削除すると共に、当該分類に基づき選択記録された番組を前記記録媒体上から消去あるいは上書きする削除手段と備えたことを特徴とする番組信号記録再生装置である。
【０００８】
前記記録媒体は、限られた記録容量を有する取り出し不可能な記録媒体である。
【０００９】
本発明に係る番組信号記録再生方法は、入来する番組に係る番組関連情報を取得するステップと、過去の視聴あるいは録画の際に前記取得された前記番組関連情報に含まれる番組の分類を示す分類情報のうち少なくとも一部を保持するステップと、前記保持された前記蓄積情報と、入来する番組に係る番組関連情報とを比較することにより、入来する番組の中から前記蓄積情報に含まれる分類に該当する番組のみを選択して記録媒体上に記録するステップと、前記記録番組の再生状況に応じ、再生番組数を番組記録時の前記分類毎に集計し、前記各分類において前記各分類の番組全数に対する前記再生番組数の割合が所定の割合以下である否かを決定するステップと、前記決定結果に応じて、前記各分類において前記各分類の番組全数に対する再生番組数の割合が所定の割合以下である分類に関しては、当該分類を削除すると共に、当該分類に基づき選択記録された番組を前記記録媒体上から消去あるいは上書きするステップと備えたことを特徴とする番組信号記録再生方法である。
【００１０】
前記記録媒体は、限られた記録容量を有する取り出し不可能な記録媒体である。
【００１３】
【発明の実施の形態】
本発明に係る番組信号記録再生装置は、番組信号に付加される番組関連情報に基づき番組の自動選択録画を行った際に、使用者の視聴状況に応じて記録媒体上に記録される番組の一部を消去すると共に、登録してある使用者の興味ある情報を修正し、録画する必要のない番組の録画防止と記録媒体の記録容量確保を目的とするものである。
【００１４】
図１は本発明の実施例に係る番組信号記録再生装置を説明するためのブロック図であり、ここでは、ＭＰＥＧトランスポートストリーム等の形態で入来する番組信号を記録するものとする。なお、このＭＰＥＧトランスポートストリームには、番組信号の他に、番組名、ジャンル、出演者等を含む番組内容を示す情報、そして、番組のスケジュールを示す情報が番組関連情報として含まれているものとする。
【００１５】
同図において、１は入来するＭＰＥＧトランスポートストリームから番組関連情報を取得する番組関連情報取得部、２はＭＰＥＧトランスポートストリームに含まれる番組信号に対して誤り訂正符号の付加等の信号処理を行う記録信号処理部、３は記録信号処理部２の動作制御及びその他の構成部分の制御及び信号の受け渡しを行うマイコンである。
【００１６】
また、４は時刻情報を発生してこれをマイコン３に出力する時計部、５は後述の如く必要な情報を保持しておくメモリ、６は記録信号処理部２における処理を終えた番組信号に所定の変調方式による記録変調処理を施す記録変調処理部、７は記録変調処理部６からの番組信号を所定の信号レベルに調整する記録アンプである。
【００１７】
また、８は記録アンプ７からの番組信号が記録される記録媒体、９はマイコン３の制御に基づき、記録媒体８に番組信号を記録する際の記録動作、記録媒体８から番組信号を再生する際の再生動作、記録媒体８上の所定の番組のみを消去または上書き可能とする際の消去動作を制御するサーボである。
【００１８】
また、１０は記録媒体８から再生された番組信号を所定の信号レベルに増幅する再生プリアンプ、１１は再生プリアンプ１０からの番組信号に波形等化等の再生復調処理を施す再生復調処理部、１２は再生復調処理部１１からの番組信号に対して誤り訂正処理等の信号処理を行った番組信号を出力する再生信号処理部である。なお、記録媒体１０としては、ハードディスクの如くリムーバブル（取り出し可能）でない記録媒体を用いるのが一般的であるが、リムーバブルな記録媒体を用いて記録再生を行っても構わない。
【００１９】
以下、本発明に係る番組信号記録再生装置の動作について説明する。
使用者が番組信号記録再生装置を記録モードに設定すると、ＭＰＥＧトランスポートストリーム等の形態で入来する番組信号が記録信号処理部２に供給され、番組関連情報が番組関連情報取得部１で取得される。
【００２０】
そして、番組信号には記録信号処理部２で誤り訂正符号の付加等の処理、記録変調処理部６で記録変調処理を施して、記録アンプ７を介してこの番組信号が記録媒体８に記録される。また、マイコン３はサーボ９を制御し、サーボ９の制御に基づき記録媒体８上の所定の記録領域に番組信号が記録されることになる。以上の如く番組信号の記録動作と同時に、番組関連情報取得手段１で取得した番組関連情報は、マイコン３を介してメモリ５内に蓄積される。
【００２１】
一方、記録媒体８上に記録される番組信号を使用者が視聴する場合には、使用者が図示しない入力手段を介して再生をしたい番組を指定し、この情報がマイコン３に伝えられると、マイコン３はサーボ９を介して記録媒体８から使用者の指定した番組が再生されるよう各構成を制御し、記録媒体８から再生された番組信号が再生プリアンプ１０を介して再生復調処理部１１に出力される。
【００２２】
再生復調処理部１１では、番組信号に対して波形等化等の再生復調処理を施し、その後、再生信号処理部１２で誤り訂正処理等の信号処理を行った番組信号が図示しないモニタ等に出力される。以上のようにして、記録媒体８に記録される番組の再生が行われる。
【００２３】
そして、以上に示した番組の録画を繰り返すと、録画した番組の番組関連情報が都度メモリ５に蓄積され、この蓄積情報がメモリ５内に保持される。なお、その際、録画された全ての番組の番組関連情報を蓄積情報としても良いし、頻繁に録画された番組の番組関連情報のみを蓄積情報としても良い。また、録画した番組の番組関連情報のみならず、例えば図示しないモニタ上で視聴された番組の番組関連情報を併せて蓄積しても構わない。
【００２４】
なお、この蓄積情報は、分類１、分類２、分類３、…の如く、複数の分類により管理されており、各分類は、夫々が番組のジャンルを示していたり、また、出演者を示していたりする。即ち、分類１が経済ニュース、分類２がフランス映画、分類３がある有名女優の如く、夫々の分類が番組のジャンル、出演者等の情報を示している。
【００２５】
次に、以上の如く蓄積される蓄積情報を基に、自動選択録画を行う際の動作を説明する。使用者が番組信号記録装置を自動選択録画モードに設定すると、ＭＰＥＧトランスポートストリーム等の形態で入来する番組関連情報が番組関連情報取得部１で取得され、この番組関連情報がメモリ５内に書き込まれる。
【００２６】
そして、マイコン３は、メモリ５に予め保持しておいた蓄積情報と書き込まれた番組関連情報とを比較し、番組関連情報の中に蓄積情報の分類として登録されている情報が存在する場合には、その番組の録画準備を整えることになる。なお、前述の如く、番組関連情報の一部には、番組のスケジュール情報が含まれているため、マイコン３は時計部４が発生する時刻情報と録画を行う番組のスタート時刻とが一致するタイミングで記録媒体８への番組の記録が始まるよう各構成を制御する。
【００２７】
その際、入来する番組信号は、記録信号処理部２で誤り訂正符号の付加等の処理、記録変調処理部６で記録変調処理が施されて、記録アンプ７を介して記録媒体８に記録される。
【００２８】
以上の如く自動選択録画により番組を録画し、また、録画した番組の視聴を行っていくと、録画した番組の中でも視聴を終えた番組と視聴を終えていない番組とがでてくるが、以下の基準に基づき、メモリ５上の蓄積情報を更新すると共に記録媒体８上の番組信号の一部を削除する。なお、番組の再生開始後短時間の間に再生を止めた場合には、使用者が番組の指定を誤った可能性もあるため、ある程度の時間以上再生が継続された場合に限り再生を終えたと見なしても良い。
【００２９】
まず、録画された番組の視聴状況を各分類毎に集計し、各分類において所定期間内に再生された番組がない場合は、その分類が使用者の興味のある分類でないと判別する。つまり、ある分類に基づき複数の番組が自動選択録画されたが、そのいずれの番組も使用者が長期間視聴していないような場合、この分類は使用者の興味のない分類であると見なして、この分類を削除すると共にこの分類に基づき記録媒体８に記録された番組信号を消去する。また、記録媒体８上の番組信号を消去する代わりに上書き可能としても良い。
【００３０】
但し、前述の如く、分類の区分けは様々であり、そのジャンルに応じて視聴時期が予想できるものと、そうでないものとがある。つまり、経済ニュースに関しては、数週間にわたり未視聴であれば使用者に視聴の意思がないものと判断できるが、フランス映画に関しては、未視聴期間が数週間にわたっていても使用者に視聴の意思があるか否かは判断できない。
【００３１】
従って、分類の内容に応じて、その分類を削除するまでの期間を変更しても良い。即ち、経済ニュースの如く、比較的短時間の間に視聴されると思われる分類に関しては数週間程度に設定し、フランス映画の如く、視聴時期が予想できない分類に関しては数ヶ月程度に設定しても良い。
【００３２】
図２は、メモリ５上の蓄積情報の更新及び記録媒体８上の番組信号の一部削除の動作をより詳細に説明するための流れ図であり、また、図３はメモリ５に蓄積される蓄積情報の一例を示す図である。蓄積情報は、前述の如く複数の分類により管理されているため、各分類毎にその分類を削除すべきか否かを判別する。
【００３３】
図２において、この判別を開始すると（Ｆ１０１）、まず分類番号が１である分類から順に判別を行うよう分類番号のパラメータｓが１に設定される（Ｆ１０２）。なお、図３に示す如く、この例では分類番号が１である分類は経済ニュースに関する分類となっており、分類番号としては１から最終分類番号であるＪまで存在するが、最終分類番号Ｊは使用者が録画または再生を繰り返す毎に変化していく番号である。
【００３４】
また、各分類毎に設けられる分類タイプｕは、前述の如く分類の内容に応じて設定され、例えば比較的短時間の間に視聴されると思われる分類に関しては１、これより長い期間でも視聴される可能性のあると思われる分類に関しては２、視聴時期が予想できない分類に関しては３等、分類を削除するまでの期間の基準に使用する。例えば、分類タイプが１の分類に関しては１週間、分類タイプが２の分類に関しては１ヶ月、分類タイプが３の分類に関しては６ヶ月と設定しても良い。
【００３５】
そして、Ｆ１０２において分類番号のパラメータが１に設定されると、分類番号が１である分類、つまり経済ニュースに関する分類の分類タイプが変数ａに代入される（Ｆ１０３）。ここでは、経済ニュースに関する分類の分類タイプが１となっているため、１の値が変数ａに代入される。そして、前述の如く、分類タイプが１の場合に分類を削除するまでの期間が１週間と設定される場合は、この１週間を示す期間情報ｂ（１）が、現在日時Ｔから差し引かれる。その結果、経済ニュースに関する分類の削除の基準となる基準日ｘが算定される
【００３６】
次に、経済ニュースに関する分類として録画される複数の番組に関して、番組番号が１である番組から順に基準日ｘとの比較を行うよう、番組番号のパラメータｐが１に設定される（Ｆ１０４）。そして、分類番号のパラメータｓが１で番組番号のパラメータｐが１である番組の最終視聴日ｔとその分類における基準日ｘとを比較し、最終視聴日ｔが小さい場合、つまり最終視聴日ｔが基準日ｘ以前の日付を示す場合は、次に、番組番号を示すパラメータｐが最終番組番号Ｎ（ｓ）であるか否かを確認する（Ｆ１０６）。
【００３７】
そして、Ｆ１０６において番組番号を示すパラメータｐが最終番組番号Ｎ（ｓ）でない場合には、パラメータｐの値を１つインクリメントすることにより（Ｆ１０７）、経済ニュースに関する分類における番組番号のパラメータが２である番組についてＦ１０５の比較を行う。
【００３８】
以上の処理を経済ニュースに関する分類の最終番組番号Ｎ（ｓ）の番組まで繰り返すが、最終視聴日ｔと基準日ｘとを比較し、最終視聴日ｔが大きいあるいは基準日ｘと同一の番組があれば、基準日ｘ以降にこの番組が視聴されたことを意味するため、その時点でＦ１０５の比較結果に基づきＦ１１０の処理へと進む。
【００３９】
また、最終番組番号Ｎ（ｓ）の番組まで繰り返すが、この分類のいずれの番組も最終視聴日ｔが基準日ｘより小さく、Ｆ１０６において番組番号のパラメータｐがＮ（ｓ）となった場合には、基準日ｘ以降に視聴された番組がこの分類には存在しないことを意味するため、この分類を削除する（Ｆ１０８）。
【００４０】
そして、Ｆ１０８の処理に続きこの分類にのみ属する番組の番組信号を記録媒体８から消去する。従って、例えば、削除した分類に属する番組であっても、同時に他の分類にも属している場合は、この時点では番組信号を消去せず、この番組が属する全ての分類が削除された時点でこの番組信号を消去する。
【００４１】
以上のようにして、分類番号が１である分類に関する判別を終えると、次に分類番号のパラメータｓが最終分類番号Ｊであるか否かを確認し（Ｆ１１０）、最終分類番号Ｊでない場合は分類番号のパラメータｓの値を１つインクリメントすることにより（Ｆ１１１）、分類番号が２である分類、つまりフランス映画に関する分類の判別を行う（Ｆ１０３以降）。そして、全ての分類に関する判別を終えると処理を終える（Ｆ１１２）。
【００４２】
なお、分類の削除及び記録媒体８上の番組信号の消去を行う際には、その旨のメッセージを表示し、使用者の意志に基づきこの削除及び消去を実行させても良い。このような使用者の意志に基づき削除及び消去を実行すれば、使用者の興味のある分類の削除及び番組の消去を防止できる。
【００４３】
以上の如く、本発明に係る番組信号記録再生装置では、各分類において所定期間内に再生された番組があるか否かを確認し、その結果に応じて分類の削除及び番組の消去を行うため、使用者の好みでない番組のジャンルあるいは出演者等の分類が蓄積情報として保持されたとしても、この分類の番組が録画され続けることを防止できる。
【００４４】
従って、ハードディスクの如く限られた記録容量を有する記録媒体に番組信号を記録再生する場合は、このような不必要な番組の録画を防止することにより限られた記録領域を有効に利用し、使用者の興味ある番組のみを効率的に記録できる。
【００４５】
なお、以上の如く、各分類毎に所定期間内に再生された番組があるか否かを確認するのでなく、ある程度長い期間内に視聴した各分類毎の番組の割合を算出し、番組を視聴した割合が所定の割合以下である分類を削除するようにしても良い。
【００４６】
このように、番組を視聴した割合に応じて分類の削除及び番組の消去を行う場合は、仮にその分類の中に使用者の好みの番組が含まれる場合であっても視聴した割合が少ない場合には、その分類が削除されることになる。つまり、使用者にとって興味のある番組が一部録画されていものの、その割合が少なく、分類として適切でないと思われる場合、つまり不必要な番組が多く録画される場合には、その分類が削除される。なお、その際、使用者にメッセージを表示し、使用者の意志に基づきその分類を削除できるようにしても良い。また、各分類毎に視聴済みの番組の数を計数し、その結果を用いても良い。
【００４７】
以上の如く、番組を視聴した割合に応じて分類の削除及び番組の消去を行う場合は、不必要な番組が多く録画された場合にその分類が削除されるため、分類が最適化され、使用者の興味ある番組が録画される割合を増加させることができる。
【００４８】
また、以上のような基準に基づく蓄積情報の更新及び番組信号の消去により使用者の意図しない分類の削除や番組信号の消去が起こらないよう、削除あるいは消去防止のフラグを設け、使用者の操作によりフラグが付加される特定の分類あるいは番組信号は、削除あるいは消去されないよう制御しても良い。
【００４９】
なお、以上のような蓄積情報の更新及び番組信号の消去の確認は、一定時間間隔で周期的に行っても、また録画動作に付随して、録画の開始直前に行っても良い。また、番組関連情報がある程度まとめて送信されてくる場合には、番組関連情報を取得する毎に行っても良い。また、これらの組み合わせであっても良い。
【００５０】
また、以上の説明では、番組信号と番組関連情報とが同一のＭＰＥＧトランスポートストリームにより伝送される例を示したがこれに限らず、例えば、番組信号はＭＰＥＧトランスポートストリーム、番組関連情報は、他の伝送路を介して供給されても構わない。
【００５１】
【発明の効果】
本発明に係る番組信号記録再生装置及び番組信号記録再生方法によれば、記録媒体からの番組の再生状況に応じて、使用者の興味ある番組の分類を蓄積した蓄積情報が更新されるため、不必要な分類の番組録画を防止できるばかりでなく、分類の最適化により使用者の興味ある番組をより多く録画できるという効果を奏する。
【００５２】
また、不必要な分類を削除する際に、不必要な分類により録画された番組が消去されるため、記録容量が限られる記録媒体を使用した場合でも、これを効率良く使用できるという効果を奏する。
【図面の簡単な説明】
【図１】本発明に係る番組信号記録再生装置を説明するためのブロック図である。
【図２】蓄積情報の更新及び番組信号の一部消去の動作を説明するための流れ図である。
【図３】メモリに蓄積される蓄積情報の一例を示す図である。
【符号の説明】
１…番組関連情報取得部
２…記録信号処理部
３…マイコン
４…時計部
５…メモリ
６…記録変調処理
７…記録アンプ
８…記録媒体
９…サーボ
１０…再生プリアンプ
１１…再生復調処理
１２…再生信号処理
【図１】
0004366817.tif 000002
【図２】
0004366817.tif 000003
【図３】
0004366817.tif 000004